(57)【要約】【課題】放電灯の状態をより精度よく把握できるプロジェクターを提供する。【解決手段】本発明のプロジェクターの一つの態様は、第１電極および第２電極を有する放電灯に駆動電流を供給する放電灯駆動部と、放電灯駆動部を制御する制御部と、温度および照度のうち少なくとも一方を検出する検出部と、放電灯から射出される光を画像信号に応じて変調する光変調装置と、光変調装置により変調された光を投射する投射光学装置と、を備え、検出部は、放電灯と投射光学装置との間において、放電灯から射出される光の光軸の鉛直方向上側と光軸の鉛直方向下側とのうちの少なくとも一方に配置され、制御部は、検出部による検出結果に基づいて、第１電極の突起の鉛直方向の移動および第２電極の突起の鉛直方向の移動を検出することを特徴とする。【選択図】図９
2019168653.tif 000002
【特許請求の範囲】
【請求項１】
第１電極および第２電極を有する放電灯に駆動電流を供給する放電灯駆動部と、
前記放電灯駆動部を制御する制御部と、
温度および照度のうち少なくとも一方を検出する検出部と、
前記放電灯から射出される光を画像信号に応じて変調する光変調装置と、
前記光変調装置により変調された光を投射する投射光学装置と、
を備え、
前記検出部は、前記放電灯と前記投射光学装置との間において、前記放電灯から射出される光の光軸の鉛直方向上側と前記光軸の鉛直方向下側とのうちの少なくとも一方に配置され、
前記制御部は、前記検出部による検出結果に基づいて、前記第１電極の突起の鉛直方向の移動および前記第２電極の突起の鉛直方向の移動を検出することを特徴とするプロジェクター。
【請求項２】
前記制御部は、前記検出部による検出結果に基づいて、前記第１電極の突起の鉛直方向位置および前記第２電極の突起の鉛直方向位置を検出する、請求項１に記載のプロジェクター。
【請求項３】
前記検出部は、前記光軸の鉛直方向上側に配置される第１検出部と、前記光軸の鉛直方向下側に配置される第２検出部と、を有し、
前記制御部は、前記第１検出部の検出結果と前記第２検出部の検出結果とに基づいて、前記突起の鉛直方向の移動を検出する、請求項１または２に記載のプロジェクター。
【請求項４】
前記光変調装置の光入射側に配置される偏光素子と、
前記偏光素子を保持する保持フレームと、
をさらに備え、
前記第１検出部および前記第２検出部は、前記保持フレームにおいて前記偏光素子の光入射側と同じ側に配置される、請求項３に記載のプロジェクター。
【請求項５】
前記第１検出部および前記第２検出部は、温度を検出し、
前記制御部は、前記第１検出部によって検出された温度と前記第２検出部によって検出された温度との差が変化した場合に、前記突起の鉛直方向の移動を検出する、請求項３または４に記載のプロジェクター。
【請求項６】
前記第１検出部および前記第２検出部は、照度を検出し、
前記制御部は、前記第１検出部によって検出された照度と前記第２検出部によって検出された照度との差が変化した場合に、前記突起の鉛直方向の移動を検出する、請求項３から５のいずれか一項に記載のプロジェクター。
【請求項７】
前記放電灯を冷却する冷却部をさらに備え、
前記制御部は、前記検出部の検出結果に基づいて、前記冷却部を制御する、請求項１から６のいずれか一項に記載のプロジェクター。
【請求項８】
前記冷却部は、前記放電灯における鉛直方向上側の上部を冷却可能であり、
前記制御部は、前記突起の鉛直方向上側への移動が検出された場合、前記上部に対する冷却レベルを、前記放電灯に供給される駆動電力に応じて前記上部に対して設定されている設定値よりも大きくする、請求項７に記載のプロジェクター。
【請求項９】
前記冷却部は、前記放電灯における鉛直方向上側の上部を冷却可能であり、
前記制御部は、前記突起の鉛直方向下側への移動が検出された場合、前記上部に対する冷却レベルを、前記放電灯に供給される駆動電力に応じて前記上部に対して設定されている設定値よりも小さくする、請求項７または８に記載のプロジェクター。
【請求項１０】
外部に情報を報知する報知部をさらに備え、
前記制御部は、前記検出部の検出結果に基づいて、前記報知部を制御する、請求項１から９のいずれか一項に記載のプロジェクター。
【請求項１１】
前記報知部は、前記放電灯の交換に関する情報を外部に報知可能であり、
前記制御部は、前記検出部の検出結果、前記放電灯の電極間電圧、および前記放電灯に供給される駆動電力に基づいて、前記放電灯の交換に関する情報を前記報知部に報知させる、請求項１０に記載のプロジェクター。
【請求項１２】
第１電極および第２電極を有する放電灯から射出される光を画像信号に応じて変調する光変調装置と、前記光変調装置により変調された光を投射する投射光学装置と、を備えるプロジェクターの制御方法であって、
前記放電灯と前記投射光学装置との間において、前記放電灯から射出される光の光軸の鉛直方向上側と前記光軸の鉛直方向下側とのうちの少なくとも一方における温度および照度のうち少なくとも一方を検出することと、
前記検出の結果に基づいて、前記第１電極の突起の鉛直方向の移動および前記第２電極の突起の鉛直方向の移動を検出することと、
を含むことを特徴とするプロジェクターの制御方法。
【発明の詳細な説明】
【技術分野】
【０００１】
本発明は、プロジェクター、およびプロジェクターの制御方法に関する。
【背景技術】
【０００２】
ランプ電圧に基づいてランプの状態を検出する方法が知られている。例えば、特許文献１には、ランプ電圧に基づいてランプの異常を検出する方法が記載されている。
【先行技術文献】
【特許文献】
【０００３】
【特許文献１】特開２００７−０５９２８１号公報
【発明の概要】
【発明が解決しようとする課題】
【０００４】
上記のようなランプ（放電灯）においては、電極先端の突起が鉛直方向上側に移動する場合がある。この場合、ランプの発光管に加えられる熱が大きくなり、失透が生じやすくなる場合がある。しかし、上述したようにしてランプ電圧（電極間電圧）を検出しても、突起の移動までは検出できないため、ランプの状態を正確に把握できない問題があった。そのため、例えば失透への対処等において、適切な対応を取ることが困難な場合があった。
【０００５】
本発明の一つの態様は、上記問題点に鑑みて成されたものであって、放電灯の状態をより精度よく把握できるプロジェクターを提供することを目的の一つとする。また、放電灯の状態をより精度よく把握できるプロジェクターの制御方法を提供することを目的の一つとする。
【課題を解決するための手段】
【０００６】
本発明のプロジェクターの一つの態様は、第１電極および第２電極を有する放電灯に駆動電流を供給する放電灯駆動部と、前記放電灯駆動部を制御する制御部と、温度および照度のうち少なくとも一方を検出する検出部と、前記放電灯から射出される光を画像信号に応じて変調する光変調装置と、前記光変調装置により変調された光を投射する投射光学装置と、を備え、前記検出部は、前記放電灯と前記投射光学装置との間において、前記放電灯から射出される光の光軸の鉛直方向上側と前記光軸の鉛直方向下側とのうちの少なくとも一方に配置され、前記制御部は、前記検出部による検出結果に基づいて、前記第１電極の突起の鉛直方向の移動および前記第２電極の突起の鉛直方向の移動を検出することを特徴とする。
【０００７】
本発明のプロジェクターの一つの態様によれば、制御部は、検出部の検出結果に基づいて、第１電極の突起の鉛直方向の移動および第２電極の突起の鉛直方向の移動を検出する。そのため、制御部は、突起の鉛直方向の移動による放電灯の上部に加えられる熱量の変化を把握することができ、放電灯における失透の発生、失透の進行程度、および放電灯の寿命等をより精度よく把握することができる。したがって、本発明のプロジェクターの一つの態様によれば、放電灯の状態をより精度よく把握できるプロジェクターが得られる。
【０００８】
前記制御部は、前記検出部による検出結果に基づいて、前記第１電極の突起の鉛直方向位置および前記第２電極の突起の鉛直方向位置を検出する構成としてもよい。
この構成によれば、突起の鉛直方向の位置に応じて、放電灯の上部に加えられる熱量をより正確に把握することができる。したがって、より精度よく放電灯の状態を把握できる。
【０００９】
前記検出部は、前記光軸の鉛直方向上側に配置される第１検出部と、前記光軸の鉛直方向下側に配置される第２検出部と、を有し、前記制御部は、前記第１検出部の検出結果と前記第２検出部の検出結果とに基づいて、前記突起の鉛直方向の移動を検出する構成としてもよい。
この構成によれば、第１検出部と第２検出部との検出結果の差から、突起の移動（鉛直方向位置）をより精度よく検出することができる。また、駆動電力等が変化して、第１検出部および第２検出部で検出できる値の絶対値が変化した場合であっても、検出結果の差に基づくことで、突起の移動（鉛直方向位置）を精度よく検出することができる。したがって、より精度よく放電灯の状態を把握できる。
【００１０】
前記光変調装置の光入射側に配置される偏光素子と、前記偏光素子を保持する保持フレームと、をさらに備え、前記第１検出部および前記第２検出部は、前記保持フレームにおいて前記偏光素子の光入射側と同じ側に配置される構成としてもよい。
この構成によれば、放電灯から射出された光の一部が各検出部に照射されやすく、放電灯から射出された光の光軸のずれを検出しやすい。これにより、突起の移動をより検出しやすい。
【００１１】
前記第１検出部および前記第２検出部は、温度を検出し、前記制御部は、前記第１検出部によって検出された温度と前記第２検出部によって検出された温度との差が変化した場合に、前記突起の鉛直方向の移動を検出する構成としてもよい。
この構成によれば、第１検出部および第２検出部は温度を計測するため、例えば、放電灯から射出された光が直接照射されなくても、射出された光が照射された部分の温度変化を検出することで、突起の鉛直方向の移動を検出できる。したがって、検出部の配置自由度を向上できる。
【００１２】
前記第１検出部および前記第２検出部は、照度を検出し、前記制御部は、前記第１検出部によって検出された照度と前記第２検出部によって検出された照度との差が変化した場合に、前記突起の鉛直方向の移動を検出する構成としてもよい。
この構成によれば、第１検出部および第２検出部は、照度を検出するため、温度を検出する場合よりも放電灯からの光の光軸ＡＸがずれたことをより直接的に検出しやすい。
【００１３】
前記放電灯を冷却する冷却部をさらに備え、前記制御部は、前記検出部の検出結果に基づいて、前記冷却部を制御する構成としてもよい。
この構成によれば、制御部は、突起の鉛直方向の移動に応じて、冷却部の出力を調整し、放電灯の上部の冷却レベルを調整することができる。これにより、放電灯の冷却を好適に行うことができ、突起の移動が生じた場合であっても、失透を発生しにくくできる。したがって、放電灯の寿命を向上させることができる。
【００１４】
前記冷却部は、前記放電灯における鉛直方向上側の上部を冷却可能であり、前記制御部は、前記突起の鉛直方向上側への移動が検出された場合、前記上部に対する冷却レベルを、前記放電灯に供給される駆動電力に応じて前記上部に対して設定されている設定値よりも大きくする構成としてもよい。
この構成によれば、突起が鉛直方向上側に移動して、放電灯の上部に加えられる熱が大きくなった場合に、放電灯の上部の冷却レベルを大きくすることができる。これにより、失透が生じることを抑制できる。
【００１５】
前記冷却部は、前記放電灯における鉛直方向上側の上部を冷却可能であり、前記制御部は、前記突起の鉛直方向下側への移動が検出された場合、前記上部に対する冷却レベルを、前記放電灯に供給される駆動電力に応じて前記上部に対して設定されている設定値よりも小さくする構成としてもよい。
この構成によれば、突起が鉛直方向下側に移動して、放電灯の上部に加えられる熱が小さくなった場合に、放電灯の上部の冷却レベルを小さくすることができる。これにより、黒化が生じることを抑制できる。
【００１６】
外部に情報を報知する報知部をさらに備え、前記制御部は、前記検出部の検出結果に基づいて、前記報知部を制御する構成としてもよい。
この構成によれば、突起の移動を考慮した放電灯の状態に関する情報を外部に報知できる。これにより、使用者の利便性を向上できる。
【００１７】
前記報知部は、前記放電灯の交換に関する情報を外部に報知可能であり、前記制御部は、前記検出部の検出結果、前記放電灯の電極間電圧、および前記放電灯に供給される駆動電力に基づいて、前記放電灯の交換に関する情報を前記報知部に報知させる構成としてもよい。
この構成によれば、突起の移動を考慮した失透の発生および失透の進行程度に基づいて、より好適なタイミングで放電灯の交換時期を使用者に伝達することができる。これにより、使用者の利便性を向上できる。
【００１８】
本発明のプロジェクターの制御方法の一つの態様は、第１電極および第２電極を有する放電灯から射出される光を画像信号に応じて変調する光変調装置と、前記光変調装置により変調された光を投射する投射光学装置と、を備えるプロジェクターの制御方法であって、前記放電灯と前記投射光学装置との間において、前記放電灯から射出される光の光軸の鉛直方向上側と前記光軸の鉛直方向下側とのうちの少なくとも一方における温度および照度のうち少なくとも一方を検出することと、前記検出の結果に基づいて、前記第１電極の突起の鉛直方向の移動および前記第２電極の突起の鉛直方向の移動を検出することと、を含むことを特徴とする。
【００１９】
本発明のプロジェクターの制御方法の一つの態様によれば、上述したのと同様にして、放電灯の状態をより精度よく把握できる。
【図面の簡単な説明】
【００２０】
【図１】第１実施形態のプロジェクターの概略構成図である。
【図２】第１実施形態の光源装置の構成を示す断面図である。
【図３】第１実施形態の放電灯の部分拡大断面図である。
【図４】第１実施形態の放電灯点灯装置および制御装置の回路図である。
【図５】第１実施形態の制御装置の一構成例を示すブロック図である。
【図６】第１実施形態のプロジェクターの各種構成要素を示すブロック図である。
【図７】第１実施形態における液晶ライトバルブを光が入射する側から視た図である。
【図８】放電灯における電極先端の突起の移動の例を示す図である。
【図９】第１実施形態における制御装置の制御手順の一例を示すフローチャートである。
【図１０】第２実施形態における制御装置の制御手順の一例を示すフローチャートである。
【発明を実施するための形態】
【００２１】
以下、図面を参照しながら、本発明の実施形態に係るプロジェクターについて説明する。適宜図面に示すＺ軸方向は、鉛直方向とする。また、以下の説明においては、Ｚ軸方向の正の側（＋Ｚ側）を鉛直方向上側と呼ぶ場合があり、Ｚ軸方向の負の側（−Ｚ側）を鉛直方向下側と呼ぶ場合がある。
なお、本発明の範囲は、以下の実施の形態に限定されるものではなく、本発明の技術的思想の範囲内で任意に変更可能である。また、以下の図面においては、各構成をわかりやすくするために、実際の構造と各構造における縮尺や数等を異ならせる場合がある。
【００２２】
＜第１実施形態＞
図１は、本実施形態のプロジェクター５００の概略構成図である。プロジェクター５００は、横長の画像および縦長の画像を投射可能なプロジェクターである。図１に示すように、本実施形態のプロジェクター５００は、光源装置２００と、平行化レンズ３０５と、照明光学系３１０と、色分離光学系３２０と、３つの液晶ライトバルブ３３０Ｒ，３３０Ｇ，３３０Ｂと、クロスダイクロイックプリズム３４０と、投射光学系（投射光学装置）３５０と、を備える。
【００２３】
光源装置２００から射出された光は、平行化レンズ３０５を通過して照明光学系３１０に入射する。平行化レンズ３０５は、光源装置２００からの光を平行化する。
【００２４】
照明光学系３１０は、光源装置２００から射出される光の照度を、液晶ライトバルブ３３０Ｒ，３３０Ｇ，３３０Ｂ上において均一化するように調整する。さらに、照明光学系３１０は、光源装置２００から射出される光の偏光方向を一方向に揃える。その理由は、光源装置２００から射出される光を液晶ライトバルブ３３０Ｒ，３３０Ｇ，３３０Ｂで有効に利用するためである。
【００２５】
照度分布と偏光方向とが調整された光は、色分離光学系３２０に入射する。色分離光学系３２０は、入射光を赤色光（Ｒ）、緑色光（Ｇ）、青色光（Ｂ）の３つの色光に分離する。３つの色光は、各色光に対応付けられた液晶ライトバルブ３３０Ｒ，３３０Ｇ，３３０Ｂにより、映像信号（画像情報）に応じてそれぞれ変調される。すなわち、液晶ライトバルブ３３０Ｒ，３３０Ｇ，３３０Ｂは、放電灯９０から射出される光を画像情報に応じて変調する。
【００２６】
液晶ライトバルブ３３０Ｒ，３３０Ｇ，３３０Ｂは、後述する液晶パネル（光変調装置）５６０Ｒ，５６０Ｇ，５６０Ｂと、後述する保持フレーム３３３と、入射側偏光板（偏光素子）３３１Ｒ，３３１Ｇ，３３１Ｂと、射出側偏光板３３２Ｒ，３３２Ｇ，３３２Ｂと、を備えている。入射側偏光板３３１Ｒ，３３１Ｇ，３３１Ｂは、液晶パネル５６０Ｒ，５６０Ｇ，５６０Ｂのそれぞれにおける光が入射する側（光入射側）に配置される。射出側偏光板３３２Ｒ，３３２Ｇ，３３２Ｂは、液晶パネル５６０Ｒ，５６０Ｇ，５６０Ｂにおける光が射出される側（光射出側）に配置される。なお、液晶ライトバルブ３３０Ｒ，３３０Ｇ，３３０Ｂを特に区別しない場合には、液晶ライトバルブ３３０と呼ぶ場合がある。入射側偏光板３３１Ｒ，３３１Ｇ，３３１Ｂを特に区別しない場合には、入射側偏光板３３１と呼ぶ場合がある。
【００２７】
変調された３つの色光は、クロスダイクロイックプリズム３４０により合成される。合成光は投射光学系３５０に入射する。投射光学系３５０は、入射光をスクリーン７００（図６参照）に投射する。すなわち、投射光学系３５０は、液晶ライトバルブ３３０Ｒ，３３０Ｇ，３３０Ｂにより変調された光を投射する。これにより、スクリーン７００上に映像が表示される。なお、平行化レンズ３０５、照明光学系３１０、色分離光学系３２０、クロスダイクロイックプリズム３４０、投射光学系３５０の各々の構成としては、周知の構成を採用することができる。
【００２８】
光源装置２００は、光源ユニット２１０と、放電灯点灯装置１０と、制御装置（制御部）４０と、冷却装置（冷却部）５０と、を有する。
図２は、光源装置２００の構成を示す断面図である。図２には、光源ユニット２１０の断面図が示されている。図２においては、制御装置４０と冷却装置５０との図示を省略している。
【００２９】
光源ユニット２１０は、図２に示すように、放電灯９０と、主反射鏡（反射鏡）１１２と、副反射鏡１１３と、を有する。放電灯９０は、光を射出する。放電灯点灯装置１０は、放電灯９０に駆動電流Ｉを供給して放電灯９０を点灯させる。主反射鏡１１２は、放電灯９０から射出された光を照射方向（所定方向）Ｄに向けて反射する。照射方向Ｄは、放電灯９０の光軸ＡＸと平行である。
【００３０】
放電灯９０は、放電灯本体（発光部）５１０と、第１電極９２および第２電極９３と、を有する。放電灯本体５１０の形状は、照射方向Ｄに沿って延びる棒状である。放電灯本体５１０の一方の端部、すなわち、放電灯９０の一方の端部を第１端部９０ｅ１とする。放電灯本体５１０の他方の端部、すなわち、放電灯９０の他方の端部を第２端部９０ｅ２とする。放電灯本体５１０の材料は、例えば、石英ガラス等の透光性材料である。放電灯本体５１０の中央部は球状に膨らんでおり、その内部は放電空間９１である。放電空間９１には、ハロゲン、水銀、希ガス、金属ハロゲン化合物等を含む放電媒体であるガスが封入されている。ハロゲンは、例えば、臭素Ｂｒを含む。
【００３１】
放電空間９１には、第１電極９２および第２電極９３の先端が突出している。第１電極９２は、放電空間９１の第１端部９０ｅ１側に配置されている。第２電極９３は、放電空間９１の第２端部９０ｅ２側に配置されている。第１電極９２および第２電極９３の形状は、光軸ＡＸに沿って延びる棒状である。放電空間９１には、第１電極９２および第２電極９３の電極先端部が、所定距離だけ離れて対向するように配置されている。第１電極９２および第２電極９３の材料は、例えば、タングステン等の金属である。
【００３２】
放電灯本体５１０は、下壁部（下部）５１０ａおよび上壁部（上部）５１０ｂを有する。下壁部５１０ａは、放電灯本体５１０における鉛直方向下側の下部である。上壁部５１０ｂは、放電灯本体５１０における鉛直方向上側の上部である。本実施形態において、下壁部５１０ａおよび上壁部５１０ｂは、放電空間９１に対して、第１電極９２および第２電極９３が並ぶ方向と直交する方向に配置される壁部である。下壁部５１０ａは、放電空間９１の鉛直方向下側に位置する壁部であり、上壁部５１０ｂは、放電空間９１の鉛直方向上側に位置する壁部である。
【００３３】
図３は、放電灯９０の部分を示す拡大断面図である。
第１電極９２は、図３に示すように、芯棒５３３と、コイル部５３２と、本体部５３１と、突起５３１ｐと、を有する。第１電極９２は、放電灯本体５１０への封入前の段階において、芯棒５３３に電極材（タングステン等）の線材を巻き付けてコイル部５３２を形成し、形成されたコイル部５３２を加熱・溶融することにより形成される。これにより、第１電極９２の先端側には、熱容量が大きい本体部５３１と、アークＡＲの発生位置となる突起５３１ｐが形成される。
【００３４】
第２電極９３は、芯棒５４３と、コイル部５４２と、本体部５４１と、突起５４１ｐと、を有する。第２電極９３は、第１電極９２と同様にして形成される。
なお、第１電極９２と第２電極９３とは、同様の構成であるため、以下の説明においては、代表して第１電極９２についてのみ説明する場合がある。また、第１電極９２の先端の突起５３１ｐと第２電極９３の先端の突起５４１ｐとは、同様の構成であるため、以下の説明においては、代表して突起５３１ｐについてのみ説明する場合がある。
【００３５】
図２に示すように、放電灯９０の第１端部９０ｅ１には、第１端子５３６が設けられている。第１端子５３６と第１電極９２とは、放電灯９０の内部を貫通する導電性部材５３４により電気的に接続されている。同様に、放電灯９０の第２端部９０ｅ２には、第２端子５４６が設けられている。第２端子５４６と第２電極９３とは、放電灯９０の内部を貫通する導電性部材５４４により電気的に接続されている。第１端子５３６および第２端子５４６の材料は、例えば、タングステン等の金属である。導電性部材５３４，５４４の材料としては、例えば、モリブデン箔が利用される。
【００３６】
第１端子５３６および第２端子５４６は、放電灯点灯装置１０に接続されている。放電灯点灯装置１０は、第１端子５３６および第２端子５４６に、放電灯９０を駆動するための駆動電力を供給する。その結果、第１電極９２および第２電極９３の間でアーク放電が起きる。アーク放電により発生した光（放電光）は、破線の矢印で示すように、放電位置から全方向に向かって放射される。
【００３７】
図３に示すように、放電灯９０を点灯すると、放電空間９１内に封入されたガスは、アークＡＲの発生により加熱され、放電空間９１内において対流する。詳細には、アークＡＲおよびその付近の領域は極めて高温となるため、放電空間９１内において、アークＡＲから鉛直方向上側に流れる対流ＡＦ（図３に一点鎖線の矢印で示す）が形成される。対流ＡＦは、放電灯本体５１０の内壁に当たって放電灯本体５１０の内壁に沿って移動し、第１電極９２および第２電極９３の芯棒５３３，５４３等を通過することによって冷却されつつ降下する。
【００３８】
降下した対流ＡＦは、放電灯本体５１０の内壁に沿って更に降下するが、アークＡＲの鉛直方向下側で互いに衝突して上方のアークＡＲに戻されるように上昇する。対流ＡＦが、放電灯本体５１０の内壁を沿って移動することによって、放電灯本体５１０は加熱される。ここで、対流ＡＦは、アークＡＲの鉛直方向上側において最も温度が高く、アークＡＲの鉛直方向下側において最も温度が低い。そのため、アークＡＲの鉛直方向上側において対流ＡＦと接触する放電灯本体５１０の上壁部５１０ｂが、放電灯本体５１０（放電灯９０）において最も高温となる最熱部となる。また、アークＡＲの鉛直方向下側において対流ＡＦと接触する放電灯本体５１０の下壁部５１０ａが、放電灯本体５１０（放電灯９０）において最も低温となる最冷部となる。
【００３９】
主反射鏡１１２は、図２に示すように、固定部材１１４により、放電灯９０の第１端部９０ｅ１に固定されている。主反射鏡１１２は、放電光のうち、照射方向Ｄと反対側に向かって進む光を照射方向Ｄに向かって反射する。主反射鏡１１２の反射面（放電灯９０側の面）の形状は、放電光を照射方向Ｄに向かって反射できる範囲内において、特に限定されず、例えば、回転楕円形状であっても、回転放物線形状であってもよい。例えば、主反射鏡１１２の反射面の形状を回転放物線形状とした場合、主反射鏡１１２は、放電光を光軸ＡＸに略平行な光に変換することができる。これにより、平行化レンズ３０５を省略することができる。
【００４０】
副反射鏡１１３は、固定部材５２２により、放電灯９０の第２端部９０ｅ２側に固定されている。副反射鏡１１３の反射面（放電灯９０側の面）の形状は、放電空間９１の第２端部９０ｅ２側の部分を囲む球面形状である。副反射鏡１１３は、放電光のうち、主反射鏡１１２が配置された側と反対側に向かって進む光を主反射鏡１１２に向かって反射する。これにより、放電空間９１から放射される光の利用効率を高めることができる。
【００４１】
固定部材１１４，５２２の材料は、放電灯９０からの発熱に耐え得る耐熱材料である範囲内において、特に限定されず、例えば、無機接着剤である。
【００４２】
図４は、放電灯点灯装置１０および制御装置４０の回路構成の一例を示す図である。
放電灯点灯装置１０は、図４に示すように、電力制御回路２０と、極性反転回路３０と、動作検出部６０と、イグナイター回路７０と、を有する。
【００４３】
電力制御回路２０は、放電灯９０に供給する駆動電力を生成する。本実施形態においては、電力制御回路２０は、直流電源装置８０からの電圧を入力とし、入力電圧を降圧して直流電流Ｉｄを出力するダウンチョッパー回路で構成されている。
【００４４】
電力制御回路２０は、スイッチ素子２１、ダイオード２２、コイル２３およびコンデンサー２４を含んで構成される。スイッチ素子２１は、例えば、トランジスターで構成される。本実施形態においては、スイッチ素子２１の一端は直流電源装置８０の正電圧側に接続され、他端はダイオード２２のカソード端子およびコイル２３の一端に接続されている。
【００４５】
コイル２３の他端にコンデンサー２４の一端が接続され、コンデンサー２４の他端はダイオード２２のアノード端子および直流電源装置８０の負電圧側に接続されている。スイッチ素子２１の制御端子には、制御装置４０から電流制御信号が入力されてスイッチ素子２１のＯＮ／ＯＦＦが制御される。電流制御信号には、例えば、ＰＷＭ（Ｐｕｌｓｅ  Ｗｉｄｔｈ  Ｍｏｄｕｌａｔｉｏｎ）制御信号が用いられてもよい。
【００４６】
スイッチ素子２１がＯＮすると、コイル２３に電流が流れ、コイル２３にエネルギーが蓄えられる。その後、スイッチ素子２１がＯＦＦすると、コイル２３に蓄えられたエネルギーがコンデンサー２４とダイオード２２とを通る経路で放出される。その結果、スイッチ素子２１がＯＮする時間の割合に応じた直流電流Ｉｄが発生する。
【００４７】
極性反転回路３０は、電力制御回路２０から入力される直流電流Ｉｄを所定のタイミングで極性反転させる。これにより、極性反転回路３０は、制御された時間だけ継続する直流である駆動電流Ｉ、もしくは、任意の周波数を持つ交流である駆動電流Ｉを生成し、出力する。本実施形態において、極性反転回路３０は、インバーターブリッジ回路（フルブリッジ回路）で構成されている。
【００４８】
極性反転回路３０は、例えば、トランジスターなどで構成される第１のスイッチ素子３１、第２のスイッチ素子３２、第３のスイッチ素子３３、および第４のスイッチ素子３４を含んでいる。極性反転回路３０は、直列接続された第１のスイッチ素子３１および第２のスイッチ素子３２と、直列接続された第３のスイッチ素子３３および第４のスイッチ素子３４と、が互いに並列接続された構成を有する。第１のスイッチ素子３１、第２のスイッチ素子３２、第３のスイッチ素子３３、および第４のスイッチ素子３４の制御端子には、それぞれ制御装置４０から極性反転制御信号が入力される。この極性反転制御信号に基づいて、第１のスイッチ素子３１、第２のスイッチ素子３２、第３のスイッチ素子３３および第４のスイッチ素子３４のＯＮ／ＯＦＦ動作が制御される。
【００４９】
極性反転回路３０においては、第１のスイッチ素子３１および第４のスイッチ素子３４と、第２のスイッチ素子３２および第３のスイッチ素子３３と、を交互にＯＮ／ＯＦＦさせる動作が繰り返される。これにより、電力制御回路２０から出力される直流電流Ｉｄの極性が交互に反転する。極性反転回路３０は、第１のスイッチ素子３１と第２のスイッチ素子３２との共通接続点、および第３のスイッチ素子３３と第４のスイッチ素子３４との共通接続点から、制御された時間だけ同一極性状態を継続する直流である駆動電流Ｉ、もしくは制御された周波数をもつ交流である駆動電流Ｉを生成し、出力する。
【００５０】
すなわち、極性反転回路３０は、第１のスイッチ素子３１および第４のスイッチ素子３４がＯＮのときには第２のスイッチ素子３２および第３のスイッチ素子３３がＯＦＦであり、第１のスイッチ素子３１および第４のスイッチ素子３４がＯＦＦのときには第２のスイッチ素子３２および第３のスイッチ素子３３がＯＮであるように制御される。したがって、第１のスイッチ素子３１および第４のスイッチ素子３４がＯＮのときには、コンデンサー２４の一端から第１のスイッチ素子３１、放電灯９０、第４のスイッチ素子３４の順に流れる駆動電流Ｉが発生する。第２のスイッチ素子３２および第３のスイッチ素子３３がＯＮのときには、コンデンサー２４の一端から第３のスイッチ素子３３、放電灯９０、第２のスイッチ素子３２の順に流れる駆動電流Ｉが発生する。
【００５１】
本実施形態において、電力制御回路２０と極性反転回路３０とを合わせた部分が放電灯駆動部２３０に対応する。すなわち、放電灯駆動部２３０は、放電灯９０を駆動する駆動電流Ｉを放電灯９０に供給する。
【００５２】
動作検出部６０は、放電灯９０のランプ電圧を検出して制御装置４０にランプ電圧情報を出力する電圧検出部を含む。また、動作検出部６０は、駆動電流Ｉを検出して制御装置４０に駆動電流情報を出力する電流検出部などを含む。本実施形態においては、動作検出部６０は、第１の抵抗６１、第２の抵抗６２および第３の抵抗６３を含んで構成されている。
【００５３】
本実施形態において、動作検出部６０の電圧検出部は、放電灯９０と並列に、互いに直列接続された第１の抵抗６１および第２の抵抗６２で分圧した電圧によりランプ電圧を検出する。また、本実施形態において、電流検出部は、放電灯９０に直列に接続された第３の抵抗６３に発生する電圧により駆動電流Ｉを検出する。
【００５４】
イグナイター回路７０は、放電灯９０の点灯開始時にのみ動作する。イグナイター回路７０は、放電灯９０の点灯開始時に放電灯９０の電極間（第１電極９２と第２電極９３との間）を絶縁破壊して放電路を形成するために必要な高電圧（放電灯９０の通常点灯時よりも高い電圧）を、放電灯９０の電極間（第１電極９２と第２電極９３との間）に供給する。本実施形態においては、イグナイター回路７０は、放電灯９０と並列に接続されている。
【００５５】
制御装置４０は、プロジェクター５００の動作開始から動作停止に至るまでの各種の動作を制御する。制御装置４０は、駆動電流Ｉの駆動電流波形に従って放電灯駆動部２３０を制御する。また、制御装置４０は、冷却装置５０および後述する報知部４５を制御する。図４の例では、制御装置４０は、電力制御回路２０および極性反転回路３０を制御することにより、駆動電流Ｉが同一極性を継続する保持時間、駆動電流Ｉの電流値、周波数等のパラメーターを制御する。制御装置４０は、極性反転回路３０に対して、駆動電流Ｉの極性反転タイミングにより、駆動電流Ｉが同一極性で継続する保持時間、駆動電流Ｉの周波数等を制御する極性反転制御を行う。制御装置４０は、電力制御回路２０に対して、出力される直流電流Ｉｄの電流値を制御する電流制御を行う。
【００５６】
制御装置４０の構成は、特に限定されない。本実施形態においては、制御装置４０は、システムコントローラー４１、電力制御回路コントローラー４２、および極性反転回路コントローラー４３を含んで構成されている。なお、制御装置４０は、その一部または全てを半導体集積回路で構成してもよい。
【００５７】
システムコントローラー４１は、電力制御回路コントローラー４２および極性反転回路コントローラー４３を制御することにより、電力制御回路２０および極性反転回路３０を制御する。システムコントローラー４１は、動作検出部６０が検出したランプ電圧および駆動電流Ｉに基づき、電力制御回路コントローラー４２および極性反転回路コントローラー４３を制御してもよい。
【００５８】
本実施形態においては、システムコントローラー４１には、記憶部４４が接続されている。
システムコントローラー４１は、記憶部４４に格納された情報に基づき、電力制御回路２０および極性反転回路３０を制御してもよい。記憶部４４には、例えば、駆動電流Ｉが同一極性で継続する保持時間、駆動電流Ｉの電流値、周波数、波形、変調パターン等の駆動パラメーターに関する情報が格納されていてもよい。
【００５９】
電力制御回路コントローラー４２は、システムコントローラー４１からの制御信号に基づき、電力制御回路２０へ電流制御信号を出力することにより、電力制御回路２０を制御する。
【００６０】
極性反転回路コントローラー４３は、システムコントローラー４１からの制御信号に基づき、極性反転回路３０へ極性反転制御信号を出力することにより、極性反転回路３０を制御する。
【００６１】
制御装置４０は、専用回路を用いて実現され、上述した制御や後述する処理の各種制御を行うようにすることができる。これに対して、制御装置４０は、例えば、記憶部４４に記憶された制御プログラムを実行することによりコンピューターとして機能し、これらの処理の各種制御を行うようにすることもできる。
【００６２】
図５は、制御装置４０の他の構成例について説明するための図である。図５に示すように、制御装置４０は、制御プログラムにより、電力制御回路２０を制御する電流制御手段４０−１、極性反転回路３０を制御する極性反転制御手段４０−２として機能するように構成されてもよい。
【００６３】
冷却装置５０は、光源ユニット２１０の放電灯９０を冷却する。冷却装置５０は、例えば、ファンにより構成されている。冷却装置５０のファンは、例えば、シロッコファンで構成されている。冷却装置５０のファンは、プロジェクター５００の筐体内外の空気を吸引して、冷却空気を光源ユニット２１０に送風する。
【００６４】
図３に示すように、冷却装置５０のファンは、第１冷却ファン５０ａと、第２冷却ファン５０ｂと、を含む。第１冷却ファン５０ａは、放電灯本体５１０の下壁部５１０ａに冷却空気を送風し、下壁部５１０ａを冷却する。第２冷却ファン５０ｂは、放電灯本体５１０の上壁部５１０ｂに冷却空気を送風し、上壁部５１０ｂを冷却する。これにより、冷却装置５０は、放電灯９０における鉛直方向上側の上部（上壁部５１０ｂ）を冷却可能である。第１冷却ファン５０ａの出力と第２冷却ファン５０ｂの出力とは、制御装置４０によって、それぞれ独立に制御される。これにより、冷却装置５０は、下壁部５１０ａと上壁部５１０ｂとを冷却可能であり、かつ、下壁部５１０ａに対する冷却レベルと、上壁部５１０ｂに対する冷却レベルと、をそれぞれ独立に変更可能である。
【００６５】
以下、プロジェクター５００の回路構成について説明する。
図６は、本実施形態のプロジェクター５００の回路構成の一例を示す図である。プロジェクター５００は、図１に示した構成の他、図６に示すように、画像信号変換部５０１と、直流電源装置８０と、液晶パネル５６０Ｒ，５６０Ｇ，５６０Ｂと、画像処理装置５７０と、報知部４５と、を備える。
【００６６】
画像信号変換部５０１は、外部から入力された画像信号５０２（輝度−色差信号やアナログＲＧＢ信号など）を所定のワード長のデジタルＲＧＢ信号に変換して画像信号５１２Ｒ，５１２Ｇ，５１２Ｂを生成し、画像処理装置５７０に供給する。
【００６７】
画像処理装置５７０は、３つの画像信号５１２Ｒ，５１２Ｇ，５１２Ｂに対してそれぞれ画像処理を行う。画像処理装置５７０は、液晶パネル５６０Ｒ，５６０Ｇ，５６０Ｂをそれぞれ駆動するための駆動信号５７２Ｒ，５７２Ｇ，５７２Ｂを液晶パネル５６０Ｒ，５６０Ｇ，５６０Ｂに供給する。
【００６８】
直流電源装置８０は、外部の交流電源６００から供給される交流電圧を一定の直流電圧に変換する。直流電源装置８０は、トランス（図示しないが、直流電源装置８０に含まれる）の２次側にある画像信号変換部５０１、画像処理装置５７０およびトランスの１次側にある放電灯点灯装置１０に直流電圧を供給する。
【００６９】
放電灯点灯装置１０は、起動時に放電灯９０の電極間に高電圧を発生し、絶縁破壊を生じさせて放電路を形成する。以後、放電灯点灯装置１０は、放電灯９０が放電を維持するための駆動電流Ｉを供給する。
【００７０】
液晶パネル５６０Ｒ，５６０Ｇ，５６０Ｂは、前述した液晶ライトバルブ３３０Ｒ，３３０Ｇ，３３０Ｂにそれぞれ設けられている。液晶パネル５６０Ｒ，５６０Ｇ，５６０Ｂは、それぞれ駆動信号５７２Ｒ，５７２Ｇ，５７２Ｂに基づいて、前述した光学系を介して各液晶パネル５６０Ｒ，５６０Ｇ，５６０Ｂに入射される色光の透過率（輝度）を変調する。すなわち、液晶パネル５６０Ｒ，５６０Ｇ，５６０Ｂは、通過する光を画像信号５１２Ｒ，５１２Ｇ，５１２Ｂに応じて変調する。
【００７１】
報知部４５は、プロジェクター５００の外部に情報を報知可能である。報知部４５が報知する情報は、放電灯９０の交換に関する情報、プロジェクター５００の設置姿勢が不適正な場合の警告、およびプロジェクター５００の使用方法が不適正な場合の警告等を含む。報知部４５による情報の報知は、使用者に情報を報知できる態様ならば、特に限定されない。報知部４５は、例えば、情報を文字として出力してもよいし、情報を音声として出力してもよいし、情報をプロジェクター５００に取り付けられたインジケーターランプの点滅として出力してもよい。情報を文字として出力する場合、報知部４５は、文字情報を、例えば、スクリーン７００に投射される画像内に表示してもよいし、プロジェクター５００に取り付けられたディスプレイに表示してもよい。
【００７２】
図７は、本実施形態における液晶ライトバルブ３３０を光が入射する側から視た図である。図７に示すように、本実施形態のプロジェクター５００は、検出部８１０をさらに備える。本実施形態において検出部８１０は、第１温度センサー（第１検出部）８１１と、第２温度センサー（第２検出部）８１２と、を有する。第１温度センサー８１１と第２温度センサー８１２とは、温度を検出可能である。本実施形態において第１温度センサー８１１および第２温度センサー８１２は、保持フレーム３３３に固定されている。保持フレーム３３３は、入射側偏光板３３１を囲んで保持する。すなわち、検出部８１０は、放電灯９０と投射光学系３５０との間に配置される保持フレーム３３３に設けられている。保持フレーム３３３は、矩形枠状である。
【００７３】
第１温度センサー８１１および第２温度センサー８１２は、保持フレーム３３３において入射側偏光板３３１の光入射側と同じ側に固定されている。第１温度センサー８１１は、保持フレーム３３３の鉛直方向上側の部分に固定されている。第２温度センサー８１２は、保持フレーム３３３の鉛直方向下側の部分に固定されている。第１温度センサー８１１および第２温度センサー８１２は、放電灯９０から射出され入射側偏光板３３１に入射する光の光軸ＡＸを、鉛直方向に挟んで配置されている。第１温度センサー８１１は、光軸ＡＸの鉛直方向上側に配置されている。第２温度センサー８１２は、光軸ＡＸの鉛直方向下側に配置されている。各温度センサーが固定された保持フレーム３３３には、液晶ライトバルブ３３０に対して照射される光の一部が照射される。
【００７４】
本実施形態において制御装置４０は、各温度センサーによって温度を検出することで、光軸ＡＸのずれを検出でき、放電灯９０における突起５３１ｐ，５４１ｐの移動を検出することができる。すなわち、制御装置４０は、検出部８１０による検出結果に基づいて、第１電極９２の突起５３１ｐの鉛直方向の移動および第２電極９３の突起５４１ｐの鉛直方向の移動を検出する。以下、詳細に説明する。
【００７５】
図８は、突起５３１ｐ，５４１ｐの移動の例を示す図である。図８における上下方向は、図７における上下方向と同じ鉛直方向（Ｚ軸方向）であり、かつ、上下関係も同じであるとする。例えば、突起５３１ｐ，５４１ｐが図８において実線で示す位置にある場合に、入射側偏光板３３１の中心を光の光軸ＡＸが通るとする。このときの突起５３１ｐ，５４１ｐの位置（図８において実線で示す位置）が正常な位置であるとする。
【００７６】
ここで、突起５３１ｐ，５４１ｐが図８において二点鎖線で示す位置に移動した場合について考える。この場合、突起５３１ｐ，５４１ｐの間に生じるアーク放電の位置が図８における上側にずれ、放電灯９０から射出される光の光軸ＡＸも上側にずれる。この場合、突起５３１ｐ，５４１ｐが図８の実線で示す位置にある場合に比べて、光軸ＡＸの鉛直方向上側に配置される第１温度センサー８１１の温度が高くなり、光軸ＡＸの鉛直方向下側に配置される第２温度センサー８１２の温度が低くなる。そのため、第２温度センサー８１２の温度に対する第１温度センサー８１１の温度の差ΔＴｅが大きくなったことを検出することで、突起５３１ｐ，５４１ｐが図８において二点鎖線に示す位置に移動したことを検出できる。
【００７７】
一方、突起５３１ｐ，５４１ｐが鉛直方向下側にずれた場合には、光軸ＡＸの鉛直方向上側に配置される第１温度センサー８１１の温度が低くなり、光軸ＡＸの下側に配置される第２温度センサー８１２の温度が高くなる。そのため、第２温度センサー８１２の温度に対する第１温度センサー８１１の温度の差ΔＴｅが小さくなったことを検出することで、突起５３１ｐ，５４１ｐが鉛直方向下側に移動したことを検出できる。このようにして、本実施形態において制御装置４０は、第１温度センサー８１１の検出結果と第２温度センサー８１２の検出結果とに基づいて、突起５３１ｐ，５４１ｐの鉛直方向の移動を検出する。
【００７８】
また、制御装置４０は、温度の差ΔＴｅの大きさに基づいて、突起５３１ｐ，５４１ｐがどの程度、鉛直方向に移動したかを検出することもできる。例えば、温度の差ΔＴｅが大きい程、突起５３１ｐ，５４１ｐは、鉛直方向上側に位置する。このように、制御装置４０は、検出部８１０による検出結果に基づいて、第１電極９２の突起５３１ｐの鉛直方向位置および第２電極９３の突起５４１ｐの鉛直方向位置を検出する。
【００７９】
なお、放電灯９０から入射側偏光板３３１までの間の光学系次第では、図７の液晶ライトバルブ３３０と、図８の放電灯９０における突起５３１ｐ，５４１ｐとの間の上下関係が逆になる場合もある。すなわち、例えば、突起５３１ｐ，５４１ｐが図８において二点鎖線で示す位置に移動してアーク放電の位置が鉛直方向上側にずれた場合、放電灯９０から射出された光が入射側偏光板３３１に導かれるまでの間で上下関係が逆となり、入射側偏光板３３１に入射する光の光軸ＡＸが鉛直方向下側にずれる。そのため、図７において光軸ＡＸの鉛直方向上側に配置される第１温度センサー８１１の温度が低くなり、光軸ＡＸの鉛直方向下側に配置される第２温度センサー８１２の温度が高くなる。
【００８０】
また、光軸ＡＸが入射側偏光板３３１の中心を通る場合（突起５３１ｐ，５４１ｐが正常な位置にある場合）、第１温度センサー８１１によって検出される温度は、例えば、第２温度センサー８１２によって検出される温度よりも大きい。これは、熱せられた周囲の空気が対流によって上昇し、第１温度センサー８１１の周囲の温度が上昇しているためである。そのため、第１温度センサー８１１によって検出される温度と第２温度センサー８１２によって検出される温度との差ΔＴｅから突起５３１ｐ，５４１ｐの移動を検出する場合には、光軸ＡＸが入射側偏光板３３１の中心を通る場合における第１温度センサー８１１および第２温度センサー８１２によって検出される温度の差を考慮する必要がある。
【００８１】
なお、突起５３１ｐ，５４１ｐの移動が生じると、第１電極９２と第２電極９３との電極間距離が広がり、ランプ電圧Ｖｌａが増加する。例えば、図８では、実線で示す突起５３１ｐ，５４１ｐ同士の電極間距離Ｗ１に対して、二点鎖線で示す突起５３１ｐ，５４１ｐ同士の電極間距離Ｗ２の方が大きい。
【００８２】
上述した制御を行う制御装置４０を備えるプロジェクター５００は、プロジェクターの制御方法としても表現できる。すなわち、本実施形態のプロジェクターの制御方法の一つの態様は、第１電極９２および第２電極９３を有する放電灯９０から射出される光を画像信号に応じて変調する液晶パネル５６０Ｒ，５６０Ｇ，５６０Ｂと、液晶パネル５６０Ｒ，５６０Ｇ，５６０Ｂにより変調された光を投射する投射光学系３５０と、を備えるプロジェクター５００の制御方法であって、放電灯９０と投射光学系３５０との間において、放電灯９０から射出される光の光軸ＡＸの鉛直方向上側と光軸ＡＸの鉛直方向下側との両方における温度を検出することと、その検出の結果に基づいて、第１電極９２の突起５３１ｐの鉛直方向の移動および第２電極９３の突起５４１ｐの鉛直方向の移動を検出することと、を含むことを特徴とする。
【００８３】
本実施形態において制御装置４０は、上述したように、検出部８１０の検出結果に基づいて突起５３１ｐ，５４１ｐの移動を検出し、報知部４５を制御する。以下、詳細に説明する。図９は、本実施形態の制御装置４０による制御手順の一例を示すフローチャートである。
【００８４】
制御装置４０は、図９に示すように、放電灯９０が点灯した後（ステップＳ１１）、放電灯タイマーのカウントアップを開始する（ステップＳ１２）。放電灯タイマーのカウントアップは、放電灯９０が寿命を迎えるまでのカウントアップである。より具体的には、例えば、放電灯タイマーのカウントアップは、放電灯９０の失透面積が所定面積以上になって、最低限の照度を維持できなくなるまでのカウントアップである。放電灯タイマーは、放電灯９０が点灯している間、例えば、所定時間毎に加算される。
【００８５】
放電灯タイマーの所定時間毎の加算値は、例えば、放電灯９０における放電灯本体５１０の上壁部５１０ｂに加えられる熱量の値で決まる。そのため、放電灯タイマーの所定時間毎の加算値は、放電灯９０に供給される駆動電力Ｗｄ、および放電灯９０のランプ電圧Ｖｌａに基づいて決められる。これは、最熱部となる上壁部５１０ｂに失透が生じるまでの時間および失透が生じた後の失透の進行程度は、放電灯９０の上壁部５１０ｂに加えられた熱量の総計によってある程度予測できるためである。一例として、放電灯タイマーの所定時間毎の加算値は、駆動電力Ｗｄが大きくなった場合に大きく設定される。
【００８６】
ここで、放電灯９０の上壁部５１０ｂに加えられる熱量は、突起５３１ｐ，５４１ｐの鉛直方向の位置によっても変化する。例えば、突起５３１ｐ，５４１ｐの位置が鉛直方向上側に移動している場合、アーク放電の位置が上壁部５１０ｂに近づくため、上壁部５１０ｂに加えられる熱量が大きくなる。一方、突起５３１ｐ，５４１ｐの位置が鉛直方向下側に移動している場合、アーク放電の位置が上壁部５１０ｂから遠ざかるため、上壁部５１０ｂに加えられる熱量が小さくなる。そこで、本実施形態では、駆動電力Ｗｄおよびランプ電圧Ｖｌａから求められた放電灯タイマーの所定時間毎の加算値に、突起５３１ｐ，５４１ｐの鉛直方向位置に応じた加算係数Ｔｋを乗じた値を加算値として、所定時間毎に放電灯タイマーに加算する。
【００８７】
放電灯タイマーのカウントアップを開始した後、制御装置４０は、第２温度センサー８１２の温度に対する第１温度センサー８１１の温度の差ΔＴｅを検出し、温度の差ΔＴｅの値について判断する（ステップＳ１３）。具体的に、制御装置４０は、温度の差ΔＴｅが、基準温度差Ｔｅ１と同じか、基準温度差Ｔｅ１よりも大きいか、基準温度差Ｔｅ１よりも小さいか、を判断する。
【００８８】
基準温度差Ｔｅ１は、突起５３１ｐ，５４１ｐの位置が正常な位置にある場合（例えば、光軸ＡＸが入射側偏光板３３１の中心を通る場合）における第２温度センサー８１２の温度に対する第１温度センサー８１１の温度の差である。基準温度差Ｔｅ１は、例えば、駆動電力Ｗｄごとの値が記憶部４４に格納されている。基準温度差Ｔｅ１は、例えば、実験的、経験的に求められる値である。なお、基準温度差Ｔｅ１は、所定の温度範囲を有していてもよい。この場合、制御装置４０は、ステップＳ１３において、温度の差ΔＴｅが、基準温度差Ｔｅ１が有する温度範囲内に含まれるかを判断する。
【００８９】
温度の差ΔＴｅが基準温度差Ｔｅ１と同じ場合（ステップＳ１３：ΔＴｅ＝Ｔｅ１）、制御装置４０は、突起５３１ｐ，５４１ｐが正常な位置にある、すなわち、突起５３１ｐ，５４１ｐの鉛直方向の移動が発生していないと判断して、加算係数Ｔｋを１に設定する（ステップＳ１４）。すなわち、制御装置４０は、放電灯タイマーの所定時間毎の加算値を、駆動電力Ｗｄおよびランプ電圧Ｖｌａから求められた値とする。
【００９０】
一方、温度の差ΔＴｅが基準温度差Ｔｅ１よりも大きい場合（ステップＳ１３：Ｔｅ１＜ΔＴｅ）、制御装置４０は、突起５３１ｐ，５４１ｐが鉛直方向上側に移動していると判断する。すなわち、制御装置４０は、第１温度センサー８１１によって検出された温度と第２温度センサー８１２によって検出された温度との差ΔＴｅが変化した場合に、突起５３１ｐ，５４１ｐの鉛直方向の移動を検出する。そして、制御装置４０は、加算係数Ｔｋを１よりも大きく設定する（ステップＳ１５）。すなわち、制御装置４０は、放電灯タイマーの所定時間毎の加算値を、駆動電力Ｗｄおよびランプ電圧Ｖｌａから求められた値よりも大きくする。このとき、加算係数Ｔｋの値は、ΔＴｅが大きい程、大きく設定される。
【００９１】
また、温度の差ΔＴｅが基準温度差Ｔｅ１よりも小さい場合（ステップＳ１３：ΔＴｅ＜Ｔｅ１）、制御装置４０は、突起５３１ｐ，５４１ｐが鉛直方向下側に移動していると判断する。すなわち、制御装置４０は、第１温度センサー８１１によって検出された温度と第２温度センサー８１２によって検出された温度との差ΔＴｅが変化した場合に、突起５３１ｐ，５４１ｐの鉛直方向の移動を検出する。そして、制御装置４０は、加算係数Ｔｋを１よりも小さく設定する（ステップＳ１６）。すなわち、制御装置４０は、放電灯タイマーの所定時間毎の加算値を、駆動電力Ｗｄおよびランプ電圧Ｖｌａから求められた値よりも小さくする。このとき、加算係数Ｔｋの値は、ゼロより大きい範囲内で、ΔＴｅが小さい程、小さく設定される。
制御装置４０は、上述したようにして設定された加算係数Ｔｋを乗じた加算値を放電灯タイマーに加算する（ステップＳ１７）。
【００９２】
次に、制御装置４０は、放電灯タイマーの値が所定値よりも大きいか否かを判断する（ステップＳ１８）。本実施形態において所定値は、放電灯９０の寿命が近くなり、放電灯９０の交換が推奨される時期となる値である。所定値は、実験的、経験的に得られたデータ等に基づいて決定され、予め記憶部４４に格納されている。
【００９３】
放電灯タイマーの値が所定値以下の場合（ステップＳ１８：ＮＯ）、制御装置４０は、ステップＳ１３に移行して、再び温度の差ΔＴｅを判断し、放電灯タイマーの加算を続ける（ステップＳ１７）。一方、放電灯タイマーの値が所定値よりも大きい場合（ステップＳ１８：ＹＥＳ）、制御装置４０は、報知部４５によって放電灯９０の交換時期となったことを報知する（ステップＳ１９）。
【００９４】
以上に説明したように、本実施形態において制御装置４０は、ランプ電圧Ｖｌａおよび駆動電力Ｗｄから得られる加算値に対して、検出部８１０から得られた突起５３１ｐ，５４１ｐの鉛直方向位置に基づいた加算係数Ｔｋを乗じた値を放電灯タイマーに加算していく。そして、制御装置４０は、放電灯タイマーの値が所定値よりも大きくなった場合に、報知部４５から放電灯９０の交換に関する情報を報知する。すなわち、本実施形態において制御装置４０は、検出部８１０の検出結果、放電灯９０のランプ電圧Ｖｌａ、および放電灯９０に供給される駆動電力Ｗｄに基づいて、放電灯９０の交換に関する情報を報知部４５に報知させる。
【００９５】
上述したように、放電灯９０における失透の発生および失透の進行程度は、放電灯本体５１０の上壁部５１０ｂに加えられた熱量の総計によって、ある程度予測できる。しかし、駆動電力Ｗｄとランプ電圧Ｖｌａとのみに基づいた予測では、突起５３１ｐ，５４１ｐの移動による熱量の変化に対応できず、失透の予測が困難であった。そのため、放電灯９０の状態の把握精度が低下する問題があった。
【００９６】
これに対して、本実施形態によれば、制御装置４０は、検出部８１０の検出結果に基づいて、第１電極９２の突起５３１ｐの鉛直方向の移動および第２電極９３の突起５４１ｐの鉛直方向の移動を検出する。そのため、制御装置４０は、突起５３１ｐ，５４１ｐの鉛直方向の移動による上壁部５１０ｂに加えられる熱量の変化を把握することができ、放電灯９０における失透の発生、失透の進行程度、および放電灯９０の寿命等をより精度よく把握することができる。具体的に本実施形態では、上述したようにして、突起５３１ｐ，５４１ｐの移動を考慮した放電灯タイマーのカウントアップが可能となり、放電灯９０における失透の発生および失透の進行程度の把握精度を向上できる。以上により、本実施形態によれば、放電灯９０の状態をより精度よく把握できるプロジェクター５００が得られる。
【００９７】
また、本実施形態によれば、制御装置４０は、検出部８１０による検出結果に基づいて、第１電極９２の突起５３１ｐの鉛直方向の位置および第２電極９３の突起５４１ｐの鉛直方向の位置を検出する。そのため、突起５３１ｐ，５４１ｐの鉛直方向の位置に応じて、上壁部５１０ｂに加えられる熱量をより正確に把握することができる。具体的に本実施形態では、放電灯タイマーに加算する値を調整することができる。したがって、より精度よく放電灯９０の状態を把握できる。
【００９８】
また、本実施形態によれば、制御装置４０は、第１温度センサー８１１の検出結果と第２温度センサー８１２の検出結果とに基づいて、突起５３１ｐ，５４１ｐの鉛直方向の移動を検出する。そのため、第１温度センサー８１１と第２温度センサー８１２との温度の差ΔＴｅから、突起５３１ｐ，５４１ｐの移動（鉛直方向位置）をより精度よく検出することができる。また、駆動電力Ｗｄ等が変化して、第１温度センサー８１１および第２温度センサー８１２で検出できる温度の絶対値が変化した場合であっても、温度の差ΔＴｅに基づくことで、突起５３１ｐ，５４１ｐの移動（鉛直方向位置）を精度よく検出することができる。したがって、より精度よく放電灯９０の状態を把握できる。
【００９９】
また、本実施形態によれば、第１温度センサー８１１および第２温度センサー８１２は、入射側偏光板３３１を保持する保持フレーム３３３において入射側偏光板３３１の光入射側と同じ側に配置される。そのため、放電灯９０から射出された光の一部が各温度センサーに照射されやすく、放電灯９０から射出された光の光軸ＡＸのずれを検出しやすい。これにより、突起５３１ｐ，５４１ｐの移動をより検出しやすい。
【０１００】
また、本実施形態によれば、制御装置４０は、第１温度センサー８１１によって検出された温度と第２温度センサー８１２によって検出された温度との差ΔＴｅが変化した場合に、突起５３１ｐ，５４１ｐの鉛直方向の移動を検出する。このように、第１温度センサー８１１および第２温度センサー８１２は温度を計測するため、例えば、放電灯９０から射出された光が直接照射されなくても、射出された光が照射された部分の温度変化を検出することで、突起５３１ｐ，５４１ｐの鉛直方向の移動を検出できる。したがって、検出部８１０の配置自由度を向上できる。
【０１０１】
また、本実施形態によれば、制御装置４０は、検出部８１０の検出結果に基づいて、報知部４５を制御する。そのため、突起５３１ｐ，５４１ｐの移動を考慮した放電灯９０の状態に関する情報を外部に報知できる。これにより、使用者の利便性を向上できる。
【０１０２】
また、本実施形態によれば、制御装置４０は、検出部８１０の検出結果、ランプ電圧Ｖｌａ、および駆動電力Ｗｄに基づいて、放電灯９０の交換に関する情報を報知部４５に報知させる。そのため、突起５３１ｐ，５４１ｐの移動を考慮した失透の発生および失透の進行程度に基づいて、より好適なタイミングで放電灯９０の交換時期を使用者に伝達することができる。これにより、使用者の利便性を向上できる。
【０１０３】
＜第２実施形態＞
第２実施形態は、第１実施形態に対して、制御装置４０が、検出部８１０の検出結果に基づいて、冷却装置５０を制御する点が異なる。本実施形態において制御装置４０は、検出部８１０の検出結果に基づいて、冷却装置５０のうち放電灯本体５１０の上壁部５１０ｂを冷却する第２冷却ファン５０ｂの出力を調整する。これにより、制御装置４０は、検出部８１０の検出結果に基づいて、上壁部５１０ｂの冷却レベルを調整する。
【０１０４】
なお、本明細書において、ある対象に対する「冷却レベル」とは、ある対象が冷却される度合いを示すものであり、例えば、本実施形態のようにファンによって送られる冷却空気によって、ある対象が冷却される場合、ある対象に送られる冷却空気の時間当たりの風量、および冷却空気の温度等から総合して決まるものである。本実施形態では、冷却レベルの変化は、ファンによって送られる冷却空気の時間当たりの風量の変化、すなわちファンに印加されるファン電圧の大きさの変化と等価なものとする。すなわち、本実施形態において、上壁部５１０ｂを冷却する第２冷却ファン５０ｂのファン電圧は、上壁部５１０ｂに対する冷却レベルに相当する。
【０１０５】
以下、本実施形態における制御装置４０の具体的な制御について詳細に説明する。図１０は、本実施形態の制御装置４０による制御手順の一例を示すフローチャートである。図１０に示すように、本実施形態において制御装置４０は、放電灯９０が点灯した後（ステップＳ２１）、第２温度センサー８１２の温度に対する第１温度センサー８１１の温度の差ΔＴｅを検出し、温度の差ΔＴｅの値について判断する（ステップＳ２２）。具体的に、制御装置４０は、温度の差ΔＴｅが、基準温度差Ｔｅ１と同じか、基準温度差Ｔｅ１よりも大きいか、基準温度差Ｔｅ１よりも小さいか、を判断する。
【０１０６】
温度の差ΔＴｅが基準温度差Ｔｅ１と同じ場合（ステップＳ２２：ΔＴｅ＝Ｔｅ１）、制御装置４０は、突起５３１ｐ，５４１ｐが正常な位置にある、すなわち、突起５３１ｐ，５４１ｐの鉛直方向の移動が発生していないと判断して、上壁部５１０ｂの冷却レベルを設定値に設定する（ステップＳ２３）。具体的に、制御装置４０は、第２冷却ファン５０ｂのファン電圧を設定値に設定する。設定値とは、放電灯９０に供給される駆動電力Ｗｄに応じて上壁部５１０ｂに対して設定されている冷却レベル（ファン電圧）の値である。
【０１０７】
一方、温度の差ΔＴｅが基準温度差Ｔｅ１よりも大きい場合（ステップＳ２２：Ｔｅ１＜ΔＴｅ）、制御装置４０は、突起５３１ｐ，５４１ｐが鉛直方向上側に移動していると判断し、上壁部５１０ｂの冷却レベルを設定値よりも大きく設定する（ステップＳ２４）。すなわち、制御装置４０は、突起５３１ｐ，５４１ｐの鉛直方向上側への移動が検出された場合、上壁部５１０ｂに対する冷却レベルを、駆動電力Ｗｄに応じて上壁部５１０ｂに対して設定されている設定値よりも大きくする。具体的に、制御装置４０は、第２冷却ファン５０ｂのファン電圧を設定値よりも大きく設定する。このとき、冷却レベル（ファン電圧）は、温度の差ΔＴｅが大きい程、大きく設定される。
【０１０８】
また、温度の差ΔＴｅが基準温度差Ｔｅ１よりも小さい場合（ステップＳ２２：ΔＴｅ＜Ｔｅ１）、制御装置４０は、突起５３１ｐ，５４１ｐが鉛直方向下側に移動していると判断し、上壁部５１０ｂの冷却レベルを設定値よりも小さく設定する（ステップＳ２５）。すなわち、制御装置４０は、突起５３１ｐ，５４１ｐの鉛直方向下側への移動が検出された場合、上壁部５１０ｂに対する冷却レベルを、駆動電力Ｗｄに応じて上壁部５１０ｂに対して設定されている設定値よりも小さくする。具体的に、制御装置４０は、第２冷却ファン５０ｂのファン電圧を設定値よりも小さく設定する。このとき、冷却レベル（ファン電圧）は、温度の差ΔＴｅが小さい程、小さく設定される。
【０１０９】
以上のようにして、本実施形態によれば、制御装置４０は、検出部８１０の検出結果に基づいて、冷却装置５０を制御する。そのため、制御装置４０は、突起５３１ｐ，５４１ｐの鉛直方向の移動に応じて、冷却装置５０（第２冷却ファン５０ｂ）の出力を調整し、上壁部５１０ｂの冷却レベルを調整することができる。これにより、放電灯９０の冷却を好適に行うことができ、突起５３１ｐ，５４１ｐの移動が生じた場合であっても、失透を発生しにくくできる。したがって、放電灯９０の寿命を向上させることができる。
【０１１０】
また、本実施形態によれば、制御装置４０は、突起５３１ｐ，５４１ｐの鉛直方向上側への移動が検出された場合、上壁部５１０ｂに対する冷却レベルを、駆動電力Ｗｄに応じて上壁部５１０ｂに対して設定されている設定値よりも大きくする。そのため、突起５３１ｐ，５４１ｐが鉛直方向上側に移動して、上壁部５１０ｂに加えられる熱が大きくなった場合に、上壁部５１０ｂの冷却レベルを大きくすることができる。これにより、失透が生じることを抑制できる。
【０１１１】
また、例えば、突起５３１ｐ，５４１ｐが鉛直方向下側に移動した場合には、上壁部５１０ｂに加えられる熱が小さくなる。そのため、上壁部５１０ｂの冷却レベルを設定値のままとすると、上壁部５１０ｂが冷却され過ぎて、放電灯９０に黒化が生じやすくなる場合があった。
【０１１２】
これに対して、本実施形態によれば、制御装置４０は、突起５３１ｐ，５４１ｐの鉛直方向下側への移動が検出された場合、上壁部５１０ｂに対する冷却レベルを、駆動電力Ｗｄに応じて上壁部５１０ｂに対して設定されている設定値よりも小さくする。そのため、突起５３１ｐ，５４１ｐが鉛直方向下側に移動して、上壁部５１０ｂに加えられる熱が小さくなった場合に、上壁部５１０ｂの冷却レベルを小さくすることができる。これにより、黒化が生じることを抑制できる。
【０１１３】
なお、本実施形態においては、突起５３１ｐ，５４１ｐの移動による上壁部５１０ｂに加えられる熱量の変化を冷却レベルの調整により相殺できる。そのため、第１実施形態のように放電灯タイマーの加算値を検出部８１０の検出結果に基づいて調整しなくても、放電灯９０の状態を精度よく把握することができる。しかし、例えば、冷却レベルの調整をしても、突起５３１ｐ，５４１ｐの移動による上壁部５１０ｂに加えられる熱量の変化を完全には相殺できないような場合には、第１実施形態と同様に放電灯タイマーの加算値を検出部８１０の検出結果に基づいて調整することで、より精度よく放電灯９０の状態を把握することができる。
【０１１４】
なお、上述した各本実施形態においては、以下の構成および方法を採用してもよい。
【０１１５】
検出部８１０は、温度および照度のうち少なくとも一方を検出すればよい。すなわち、第１検出部および第２検出部として、第１温度センサー８１１および第２温度センサー８１２の代わりに、一対の照度センサーが設けられてもよい。一対の照度センサーは、照度を検出可能である。この場合、制御装置４０は、一対の照度センサーが検出する照度の変化によって、アーク放電のずれを検出し、突起５３１ｐ，５４１ｐの移動を検出する。すなわち、制御装置４０は、一方の照度センサーによって検出された照度と他方の照度センサーによって検出された照度との差が変化した場合に、突起５３１ｐ，５４１ｐの移動を検出する。これにより、上述した各温度センサーによる場合と同様に、放電灯９０の状態を精度よく把握することができる。また、照度センサーは、照度を検出するため、温度を検出する場合よりも放電灯９０からの光の光軸ＡＸがずれたことをより直接的に検出しやすい。
【０１１６】
また、第１検出部および第２検出部として、温度および照度の両方が検出可能なセンサーが設けられてもよい。また、検出部は、一対の温度センサーと一対の照度センサーとを、それぞれ有してもよい。
【０１１７】
また、検出部８１０は、放電灯９０と投射光学系３５０との間において、光軸ＡＸの鉛直方向上側と光軸ＡＸの鉛直方向下側とのうちの少なくとも一方に配置されればよい。すなわち、上述した実施形態の例では、第１温度センサー８１１と第２温度センサー８１２とのいずれか一方が設けられなくてもよい。また、検出部８１０は、鉛直方向と直交する水平方向両側（例えば、図７の左右方向両側）に配置される第３検出部と第４検出部とのうちの少なくとも一方を有してもよい。この構成によれば、突起５３１ｐ，５４１ｐの水平方向の移動を検出することができ、放電灯９０の状態をより精度よく検出できる。
【０１１８】
また、上述した実施形態では、冷却装置５０が２つの冷却ファンを有する構成としたが、これに限られない。冷却装置５０は、１つの冷却ファンで構成され、この１つの冷却ファンからの送風が、ダクト等によって放電灯本体５１０の下壁部５１０ａと上壁部５１０ｂとに分配される構成であってもよい。また、この場合においては、ダクトの分岐部に整流板を設けて、下壁部５１０ａに分配される風量と、上壁部５１０ｂに分配される風量と、を調整できる構成としてもよい。
【０１１９】
また、例えば、プロジェクター５００が鉛直方向に反転した向きで使用されるような場合には、下壁部５１０ａが放電灯９０における鉛直方向上側の上部となる。この場合、下壁部５１０ａに加えられる熱量に基づいて、上述したのと同様に、放電灯９０の状態を把握する。また、プロジェクター５００が鉛直方向のいずれの向きでも使用される場合には、下壁部５１０ａに加えられる熱量に基づいた放電灯タイマーと、上壁部５１０ｂに加えられる熱量に基づいた放電灯タイマーとを、それぞれ独立してカウントアップしていき、いずれか一方が所定値よりも大きくなった場合に、報知部４５から放電灯９０の交換に関する情報を報知させてもよい。
【０１２０】
また、上記の各実施形態において、透過型のプロジェクターに本発明を適用した場合の例について説明したが、本発明は、反射型のプロジェクターにも適用することも可能である。ここで、「透過型」とは、液晶パネル等を含む液晶ライトバルブが光を透過するタイプであることを意味する。「反射型」とは、液晶ライトバルブが光を反射するタイプであることを意味する。なお、光変調装置は、液晶パネル等に限られず、例えばマイクロミラーを用いた光変調装置であってもよい。
【０１２１】
また、上記の各実施形態において、３つの液晶パネル５６０Ｒ，５６０Ｇ，５６０Ｂ（液晶ライトバルブ３３０Ｒ，３３０Ｇ，３３０Ｂ）を用いたプロジェクター５００の例を挙げたが、本発明は、１つの液晶パネルのみを用いたプロジェクター、４つ以上の液晶パネルを用いたプロジェクターにも適用可能である。
【０１２２】
また、上記説明した各構成は、相互に矛盾しない範囲内において、適宜組み合わせることができる。
【符号の説明】
【０１２３】
４０…制御装置（制御部）、４５…報知部、５０…冷却装置（冷却部）、９０…放電灯、９２…第１電極、９３…第２電極、２３０…放電灯駆動部、３３１，３３１Ｒ，３３１Ｇ，３３１Ｂ…入射側偏光板（偏光素子）、３３３…保持フレーム、３５０…投射光学系（投射光学装置）、５００…プロジェクター、５０２，５１２Ｒ，５１２Ｇ，５１２Ｂ…画像信号、５１０ｂ…上壁部（上部）、５３１ｐ，５４１ｐ…突起、５６０Ｒ，５６０Ｇ，５６０Ｂ…液晶パネル（光変調装置）、８１０…検出部、８１１…第１温度センサー（第１検出部）、８１２…第２温度センサー（第２検出部）、ＡＸ…光軸、Ｉ…駆動電流、Ｗｄ…駆動電力
【図１】
2019168653.tif 000003
【図２】
2019168653.tif 000004
【図３】
2019168653.tif 000005
【図４】
2019168653.tif 000006
【図５】
2019168653.tif 000007
【図６】
2019168653.tif 000008
【図７】
2019168653.tif 000009
【図８】
2019168653.tif 000010
【図９】
2019168653.tif 000011
【図１０】
2019168653.tif 000012